(57)【特許請求の範囲】
【請求項１】
光源モジュールと、前記光源モジュールと熱的に結合される放熱部材と、前記光源モジュールから放射される光の配光を制御する配光制御部材と、前記配光制御部材を前記放熱部材に取り付ける取付部材とを備え、
前記配光制御部材は、前記光源モジュールと対向するレンズ部と、前記レンズ部の周囲に設けられる板状の外鍔部とを有し、
前記取付部材は、前記レンズ部が挿通される窓孔を有する枠部と、前記枠部から突出する１つ又は複数の引掛部とを備え、
前記放熱部材は、前記引掛部が着脱可能に引っ掛けられる被引掛部を有し、
前記被引掛部は、前記引掛部を前記放熱部材の厚み方向に通過させ、かつ、前記引掛部を前記厚み方向と交差する方向に移動可能に構成され、
前記取付部材は、前記引掛部を前記被引掛部に引っ掛けた状態で前記放熱部材と前記枠部との間で前記外鍔部を挟んで支持するように構成され、
前記取付部材は、前記引掛部を前記被引掛部に引っ掛けた状態で前記放熱部材にねじ止めして固定される固定部を備え、
前記被引掛部は、前記放熱部材の周縁部分に形成される切欠を有し、
前記引掛部は、前記枠部から突出する突片と、前記突片から前記枠部と並行して突出する引掛片とを有し、前記引掛片と前記枠部との間の隙間に、前記被引掛部が挿入されるように構成され、
前記固定部は、前記引掛部と並行して前記枠部から突出していることを特徴とする光源ユニット。
【請求項２】
前記放熱部材との間で前記光源モジュールを挟んで支持する押さえ部材をさらに備え、
前記取付部材は、前記引掛部を前記被引掛部に引っ掛けた状態で前記放熱部材と前記枠部との間で前記外鍔部及び前記押さえ部材を挟んで支持するように構成されることを特徴とする請求項１記載の光源ユニット。
【請求項３】
請求項１又は２の光源ユニットと、前記光源ユニットを収容する器具本体とを備えることを特徴とする照明器具。
【発明の詳細な説明】
【技術分野】
【０００１】
本発明は、光源ユニット及び照明器具に関し、より詳細には、固体発光素子と光学部材を有する光源ユニット、及び、当該光源ユニットを有する照明器具に関する。
【背景技術】
【０００２】
従来例として、特許文献１記載の非常灯を例示する。特許文献１記載の非常灯（以下、従来例という）は、光源部と、光源部を支持する枠部材と、バッテリと、バッテリを電源として光源部を点灯させる点灯ユニットと、バッテリ及び点灯ユニットを内部に収容し、かつ、枠部材が取り付けられる器具本体とを備える。この従来例は、廊下や通路の天井に埋込配設され、電力系統の停電時に非常点灯して避難経路の照明を行うように構成される。
【０００３】
光源部は、基板と、基板に実装される光源（発光ダイオード）と、光源から放射される光の配光を制御するガラスレンズと、閉塞部材とを有する。ガラスレンズは、基板を収容するための開口部を有する。閉塞部材は、基板が収容されたガラスレンズの開口部を閉塞する。
【０００４】
枠部材は、中央部に円形の開口部が設けられる。光源部は、枠部材の開口部内に収められ、ガラスレンズの外周及び枠部材の開口部の内周に形成される凹部と凸部の凹凸嵌合によって枠部材に固定される。
【先行技術文献】
【特許文献】
【０００５】
【特許文献１】特開２０１２−８４３２４号公報
【発明の概要】
【発明が解決しようとする課題】
【０００６】
ところで、従来例における光源部（光源ユニット）は、閉塞部材で閉塞されるガラスレンズの開口部内に、発光ダイオードの実装された基板（光源モジュール）が収容される構造を有する。そして、閉塞部材は、ガラスレンズの開口部から外すことができないような固定手段でガラスレンズに固定される。つまり、特許文献１記載の従来例では、ガラスレンズに開口部及び凹凸嵌合のための凹部又は凸部を形成する作業が必要である。
【０００７】
本発明は、上記課題に鑑みてなされており、製造コストの削減及び製造作業の作業時間の短縮を図ることを目的とする。
【課題を解決するための手段】
【０００８】
本発明の光源ユニットは、光源モジュールと、前記光源モジュールと熱的に結合される放熱部材と、前記光源モジュールから放射される光の配光を制御する配光制御部材と、前記配光制御部材を前記放熱部材に取り付ける取付部材とを備え、前記配光制御部材は、前記光源モジュールと対向するレンズ部と、前記レンズ部の周囲に設けられる板状の外鍔部とを有し、前記取付部材は、前記レンズ部が挿通される窓孔を有する枠部と、前記枠部から突出する１つ又は複数の引掛部とを備え、前記放熱部材は、前記引掛部が着脱可能に引っ掛けられる被引掛部を有し、前記被引掛部は、前記引掛部を前記放熱部材の厚み方向に通過させ、かつ、前記引掛部を前記厚み方向と交差する方向に移動可能に構成され、前記取付部材は、前記引掛部を前記被引掛部に引っ掛けた状態で前記放熱部材と前記枠部との間で前記外鍔部を挟んで支持するように構成され、前記取付部材は、前記引掛部を前記被引掛部に引っ掛けた状態で前記放熱部材にねじ止めして固定される固定部を備え、前記被引掛部は、前記放熱部材の周縁部分に形成される切欠を有し、前記引掛部は、前記枠部から突出する突片と、前記突片から前記枠部と並行して突出する引掛片とを有し、前記引掛片と前記枠部との間の隙間に、前記被引掛部が挿入されるように構成され、前記固定部は、前記引掛部と並行して前記枠部から突出していることを特徴とする。
【０００９】
本発明の照明器具は、光源ユニットと、前記光源ユニットを収容する器具本体とを備えることを特徴とする。
【発明の効果】
【００１０】
本発明の光源ユニット及び照明器具は、製造コストの削減及び製造作業の作業時間の短縮を図ることができるという効果がある。
【図面の簡単な説明】
【００１１】
【図１】実施形態に係る光源ユニットの斜視図である。
【図２】実施形態に係る光源ユニットの分解斜視図である。
【図３】実施形態に係る光源ユニットを示し、図３Ａは正面図、図３Ｂは左側面図、図３Ｃは右側面図、図３Ｄは平面図、図３Ｅは背面図である。
【図４】実施形態に係る光源ユニットの縦断面図である。
【図５】実施形態に係る照明器具の分解斜視図である。
【図６】実施形態に係る照明器具を示し、図６Ａは背面図、図６Ｂは正面図、図６Ｃは平面図である。
【図７】実施形態に係る照明器具を示し、カバーを取り外した状態の一部破断した正面図である。
【図８】実施形態に係る照明器具における点灯装置の回路ブロック図である。
【図９】別の実施形態に係る照明器具の斜視図である。
【図１０】別の実施形態に係る照明器具を示し、カバーを取り外した状態の正面図である。
【発明を実施するための形態】
【００１２】
以下、本実施形態に係る光源ユニット２及び照明器具Ｘについて、図面を参照して詳細に説明する。なお、本実施形態に係る照明器具Ｘは、電池内蔵型の非常用照明器具として構成されているが、一般照明用の照明器具であっても構わない。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１３】
まず、本実施形態に係る照明器具Ｘの概略構成を説明する。本実施形態に係る照明器具Ｘは、図５に示すように、本実施形態に係る光源ユニット２と、器具本体１とを備え、建物の通路や廊下などの天井に埋込配設される。さらに、本実施形態に係る照明器具Ｘは、電池ユニット３、点灯ユニット４、カバー５などを備えることが好ましい。ただし、以下の照明器具Ｘの説明では、図５において上下、左右、前後の各方向を規定する。
【００１４】
器具本体１は、下面が開口した有底筒状に形成される。また、器具本体１は、左右両側に平坦な面（平坦面）を有し、それらの平坦面を除く周面が円筒面となるように構成されている。さらに、器具本体１の下端縁には、外向きに突出する円環状のフランジ１０が形成されている（図７参照）。なお、器具本体１は、器具本体１の下端の近傍における左前方の位置から内側に突出する被固定部１２を有することが好ましい（図５及び図７参照）。この被固定部１２は矩形の平板状に形成され、先端の近傍にねじ挿通孔１２０が設けられることが好ましい。
【００１５】
器具本体１の左右両側の平坦面には、それぞれ支持具６が１つずつ取り付けられている（図６Ａ及び図６Ｃ参照）。これら一対の支持具６は、長尺の板ばね状に形成されることが好ましい。それぞれの支持具６は、長手方向の一端部で器具本体１の平坦面に固定され、かつ、長手方向の他端部が器具本体１の底板１１に近付く向き（上向き）に撓み可能に構成されている。つまり、器具本体１は、埋込孔内に挿入される一対の支持具６と、器具本体１の下端面に設けられるフランジ１０との間で天井材を挟み込むようにして天井材に支持される。
【００１６】
カバー５は、器具本体１のフランジ１０の外径よりも大きい円盤状に形成され、中央に円形の窓孔５０が設けられている（図５及び図６Ｂ参照）。この窓孔５０には、後述するように光源ユニット２のレンズ部２２０が挿通される。カバー５は、器具本体１の前面の開口を開放可能に塞ぐように構成されている。カバー５の上面における前端及び後端には、それぞれ取付ばね７が取り付けられている。これら一対の取付ばね７は、器具本体１の内周面の前側及び後側にそれぞれ一対ずつ設けられる挿通溝１３に抜き差し可能に挿通される。つまり、カバー５は、一対の取付ばね７がそれぞれ一対の挿通溝１３に挿通されることにより、器具本体１の下面を閉塞する状態で器具本体１に保持される（図６Ｃ及び図７参照）。
【００１７】
電池ユニット３は、複数本の電池３０と、これら複数本の電池３０を収容する電池ケース３１とを有する（図７参照）。電池３０は、例えば、円筒形のニッカド電池、あるいは、円筒形のニッケル水素電池などの２次電池が好ましい。電池ケース３１は、上下両側の底面が馬蹄形（Ｕ字形）である筒状に形成されることが好ましい。複数本の電池３０は、軸方向を上下方向とし、径方向に沿って一列に並ぶように電池ケース３１内に収容されることが好ましい。
【００１８】
電池ケース３１の下側の前端部には、点灯ユニット４と電気的に接続されるコネクタ部３２が設けられている（図５参照）。コネクタ部３２は、一対のコンタクトと、これら一対のコンタクトを電気的に絶縁した状態で支持するコネクタハウジング３２０とを有する。片方のコンタクトは、電池ケース３１内で電気的に直列接続されている複数本の電池３０のうちの一方の端の電池３０の正極と電気的に接続される。もう片方のコンタクトは、他方の端の電池３０の負極と電気的に接続される。
【００１９】
また、電池ケース３１の下側の後端部には、抜け止め部３３が設けられている（図５参照）。抜け止め部３３は、上端が電池ケース３１に固定されて左右方向に撓み可能に構成されるばね片３３０と、ばね片３３０の下端寄りの左側面に設けられる突起３３１とを有する。突起３３１は、下に向かってばね片３３０から離れる向きに傾斜する斜面を有した三角柱状に形成されることが好ましい。
【００２０】
点灯ユニット４は、点灯装置４０と、点灯装置４０を収容する筐体４１とを有する。点灯装置４０の回路ブロック図を図８に示す。点灯装置４０は、直流電源回路４００、充電回路４０１、点灯回路４０２、停電検出回路４０３、制御回路４０４、モニタランプ４０５、押釦スイッチ４０６、受信部４０７などを備えることが好ましい。
【００２１】
直流電源回路４００は、例えば、リンギングチョークコンバータなどの自励型のスイッチング電源回路で構成され、外部電源（例えば、商用の電力系統）Ｗから供給される交流電圧を、当該交流電圧の実効値よりも低い直流電圧に変換することが好ましい。充電回路４０１は、外部電源Ｗから給電されているときに動作し、直流電源回路４００から電池ユニット３へ一定の充電電流を流すように構成されることが好ましい。点灯回路４０２は、電池ユニット３から供給される直流電流を定電流化して光源ユニット２に供給するように構成されることが好ましい。停電検出回路４０３は、直流電源回路４００の出力電圧から外部電源Ｗの停電を検出して制御回路４０４に通知するように構成される。モニタランプ４０５は、例えば、緑色光を放射する発光ダイオードで構成され、充電回路４０１から電池ユニット３に供給される充電電流によって発光させられることが好ましい。受信部４０７は、赤外線を通信媒体とする無線信号を受信し、受信した無線信号から送信フレームを復調して制御回路４０４に渡すように構成される。この無線信号は、定期点検の作業を行う作業者に操作されるワイヤレス送信器から送信される。なお、定期点検とは、法令で定められた期間ごとに実施され、点灯回路４０２を強制的に動作させて光源ユニット２が規定の時間以上、点灯状態を維持することを確認することを目的とする。
【００２２】
制御回路４０４は、停電検出回路４０３が停電を検出していないとき、充電回路４０１を動作させ、かつ、点灯回路４０２を停止させるように構成される。また、制御回路４０４は、停電検出回路４０３が停電を検出しているとき、充電回路４０１を停止させ、かつ、点灯回路４０２を動作させるように構成される。さらに、制御回路４０４は、一方の押釦スイッチ４０６Ａが押操作された場合、あるいは、受信部４０７から送信フレームを受け取った場合、充電回路４０１を停止させ、かつ、点灯回路４０２を動作させて定期点検動作を行うように構成される。ただし、制御回路４０４は、他方の押釦スイッチ４０６Ｂが押操作された場合は、点灯回路４０２を数秒間動作させた後、再度、点灯回路４０２を停止させ、かつ、充電回路４０１を動作させるように構成されることが好ましい。
【００２３】
点灯装置４０は、プリント配線板からなる回路基板の第１面に実装される種々の電子部品と、回路基板の第２面（第１面の裏面）に形成される導体とで直流電源回路４００から制御回路４０４までの各回路を実現するように構成される。なお、モニタランプ４０５、及び２つの押釦スイッチ４０６Ａ、４０６Ｂは、いずれも回路基板の第１面における下端近くに実装されることが好ましい（図７参照）。
【００２４】
点灯ユニット４の筐体４１は、上下両側の底面が六角形である筒状に形成されることが好ましい。ただし、筐体４１の２つの底面は、１つの辺（第１辺）が対向する他の１つの辺（第２辺）よりも長く、かつ、第１辺の両側の２つの辺（第３辺及び第４辺）が平行となる六角形に形成されることが好ましい（図７参照）。筐体４１の下面には、３つの開口部４１０Ａ、４１０Ｂ、４１０Ｃが前後方向に一列に並ぶように設けられている。前端の開口部４１０Ａの奥には、電池ユニット３のコネクタ部３２と前後方向に挿抜可能に接続される受け側のコネクタが配置されている。また、中央の開口部４１０Ｂの奥には、後述する光源ユニット２のプラグコネクタ２６と前後方向に挿抜可能に接続されるレセプタクルコネクタ４０８が配置されている（図５参照）。さらに、後端の開口部４１０Ｃの奥には、モニタランプ４０５、２つの押釦スイッチ４０６Ａ、４０６Ｂ、受信部４０７及び２つの操作部材４２が配置されている。これら２つの操作部材４２は、上下方向に移動可能に設けられており、上向きに移動する際に、それぞれ押釦スイッチ４０６Ａ、４０６Ｂの押釦を押操作するように構成されることが好ましい。また、筐体４１は、速結式の端子台４３を保持するように構成されることが好ましい（図６Ｃ参照）。
【００２５】
点灯ユニット４は、図５及び図７に示すように、筐体４１の上面及び下面の第２辺を平坦面に沿わせるようにして、器具本体１内に収容される。そして、点灯ユニット４は、筐体４１の上面が器具本体１の底板１１に設けられた固定片１１０にねじ止めされることによって、器具本体１に固定される（図６Ａ参照）。ただし、筐体４１に保持された端子台４３は、図６Ｃに示すように、器具本体１の底板１１に設けられる段差部１１１の孔１１１０を通して、差込口４３０を器具本体１の外に露出させることが好ましい。つまり、これらの差込口４３０に電源線の導体が差し込まれることにより、端子台４３を介して外部電源Ｗと点灯装置４０とが電気的に接続される。
【００２６】
続いて、本実施形態に係る光源ユニット２について、図１〜図４を参照して詳細に説明する。ただし、以下の光源ユニット２の説明では、図２において上下、左右、前後の各方向を規定する。
【００２７】
本実施形態に係る光源ユニット２は、ＬＥＤモジュール（光源モジュール）２０、放熱部材２１、レンズブロック２２、取付部材２３、押さえ部材２４、熱伝導シート２５並びにプラグコネクタ２６などを備えることが好ましい。ＬＥＤモジュール２０は、矩形平板状の実装基板２００の上面中央に１個又は複数個のＬＥＤチップ（固体発光素子）が実装される。これらのＬＥＤチップは、例えば、青色光を放射する青色発光ダイオードであることが好ましい。また、ＬＥＤチップを含む実装基板２００の上面は、ＬＥＤチップから放射される青色光を波長変換する蛍光物質が混入された封止樹脂２０１で円盤状に被われる。さらに、実装基板２００の対角の位置にある一対の角部の上面には、カソードの電極２０２とアノードの電極２０３が形成されている（図２参照）。なお、ＬＥＤモジュール２０は、アノードの電極２０３とカソードの電極２０２に直流電圧が印加されることにより、白色の照明光を放射するように構成される。
【００２８】
熱伝導シート２５は、高熱伝導率、電気絶縁性及び難燃性を有するシリコーン樹脂製のシート材で構成されることが好ましい。熱伝導シート２５は、ＬＥＤモジュール２０の実装基板２００と放熱部材２１との間に介在し、ＬＥＤチップから発せられて実装基板２００を通して伝導される熱を、放熱部材２１に伝導するように構成される。
【００２９】
押さえ部材２４は、例えば、ポリカーボネート樹脂などの合成樹脂材料によって、おおよそ円盤状に形成されることが好ましい（図２参照）。押さえ部材２４は、中央にほぼ矩形の孔２４０を有する。また、押さえ部材２４の上面における孔２４０の周囲に凹所２４１が設けられる。さらに、押さえ部材２４の上面において、孔２４０の対角の位置に、上下方向から見てＬ字形の押さえ突起２４２がそれぞれ形成されている。また、押さえ部材２４は、角筒状のコネクタ保持部２４３を有する。このコネクタ保持部２４３は、プラグコネクタ２６を内側に収容して保持するように構成される（図３Ｅ参照）。
【００３０】
プラグコネクタ２６は、一対のコンタクトと、これら一対のコンタクトを電気的に絶縁した状態で支持するコネクタハウジング２６０とを有する。片方のコンタクトは、電線を介してＬＥＤモジュール２０のカソード電極２０２と電気的に接続される。もう片方のコンタクトは、別の電線を介してＬＥＤモジュール２０のアノード電極２０３と電気的に接続される。
【００３１】
レンズブロック２２は、例えば、ガラス製であって、おおよそ円錐台形状のレンズ部２２０と、レンズ部２２０の周縁から外向きに突出する円環状の外鍔部２２１とを有することが好ましい（図２参照）。レンズ部２２０は、図４に示すように、おおよそ回転放物面形状の入射面２２００が形成されている。レンズ部２２０は、入射面２２００に入射する光（ＬＥＤモジュール２０から放射される照明光）の配光を制御するように構成される。
【００３２】
取付部材２３は、例えば、ポリカーボネート樹脂などの合成樹脂材料によって、おおよそ円環状に形成されることが好ましい（図２参照）。取付部材２３は、枠部２３０、一対の引掛部２３２、固定部２３３などを有することが好ましい。枠部２３０は、円環状の主部２３００と、主部２３００の外周縁から全周に渡って下向きに突出する円筒形状の周壁部２３０１とを有する。主部２３００は、円形の窓孔２３１を有する。一対の引掛部２３２は、周壁部２３０１の左前及び右前の下面から下向きに突出するように周壁部２３０１と一体に形成されることが好ましい。引掛部２３２は、周壁部２３０１から下向きに突出する直方体状の突片２３２０と、突片２３２０から周壁部２３０１と並行して突出する直方体状の引掛片２３２１とを有する（図２及び図３Ｄ参照）。つまり、引掛部２３２は、全体としてＬ字状に形成されることが好ましい。固定部２３３は、おおよそ台形状に形成されることが好ましい。固定部２３３は、枠部２３０の周壁部２３０１における後面から後方へ突出するように、周壁部２３０１と一体に形成されることが好ましい（図２及び図３Ａ参照）。なお、固定部２３３は、中央に円形のねじ挿通孔２３３０が設けられることが好ましい。
【００３３】
放熱部材２１は、アルミ又はアルミ合金製の板材で構成され、ＬＥＤモジュール２０と熱結合される結合部２１０と、点灯ユニット４の筐体４１に固定される固定部２１１とを有することが好ましい（図１、図２及び図３Ｅ参照）。さらに、放熱部材２１は、結合部２１０と固定部２１１を繋ぐ連結部２１２を有することが好ましい。結合部２１０は、おおよそ円盤状に形成されることが好ましい。固定部２１１は、おおよそ台形状に形成されることが好ましい。連結部２１２は、矩形に形成されることが好ましい。ただし、固定部２１１は、結合部２１０及び連結部２１２のいずれよりも左右方向の幅寸法を大きくするように構成されることが好ましい。
【００３４】
結合部２１０の前端における左右両側には、それぞれ被引掛部２１３が設けられる。被引掛部２１３は、取付部材２３の引掛部２３２を放熱部材２１の厚み方向（上下方向）に通過させ、かつ、引掛部２３２を厚み方向と交差する方向（左右方向及び前後方向）に移動可能に構成されることが好ましい。本実施形態において、被引掛部２１３は、放熱部材２１（の結合部２１０）の周縁部分に形成される切欠２１３０を有することが好ましい。切欠２１３０は、おおよそ矩形に形成されることが好ましい。被引掛部２１３は、切欠２１３０と、切欠２１３０の隣（左隣）に位置する部位（被引掛部位２１３１）とで構成されることが好ましい。ただし、被引掛部２１３は、切欠２１３０の代わりに、放熱部材２１を厚み方向に貫通する孔を有してもよい。この場合、被引掛部２１３は、孔と、孔の隣に位置する部位（被引掛部位）とで構成される。
【００３５】
固定部２１１には、２つの丸孔２１１０と、１つのねじ孔（第１ねじ孔２１１１）とが設けられる（図２及び図３Ｅ参照）。２つの丸孔２１１０は、左右方向に一列に並ぶように設けられることが好ましい。第１ねじ孔２１１１は、固定部２１１の右端近くに設けられることが好ましい。また、連結部２１２には、矩形の挿通孔２１２０と、ねじ孔（第２ねじ孔２１２１）とが設けられることが好ましい（図２及び図３Ｅ参照）。挿通孔２１２０は、連結部２１２のほぼ中央に設けられ、第２ねじ孔２１２１は、挿通孔２１２０の左後方の位置に設けられることが好ましい。
【００３６】
次に、本実施形態に係る光源ユニット２の組立手順を説明する。ただし、プラグコネクタ２６は、既に２本の電線を介してＬＥＤモジュール２０と電気的に接続されている。
【００３７】
まず、組立作業を行う作業者は、放熱部材２１の結合部２１０の上面に熱伝導シート２５を敷き、その熱伝導シート２５の上に、ＬＥＤチップの実装面を上にしてＬＥＤモジュール２０を載せる。そして、作業者は、プラグコネクタ２６及び２本の電線を孔２４０に通し、かつ、コネクタ保持部２４３を連結部２１２の挿通孔２１２０に挿通しつつ、熱伝導シート２５及びＬＥＤモジュール２０の上から押さえ部材２４を被せる。このとき、作業者は、孔２４０の四隅をＬＥＤモジュール２０の実装基板２００の四隅に位置合わせし、一対の押さえ突起２４２でＬＥＤモジュール２０（の実装基板２００）の２つの角を上から押さえる（図４参照）。さらに、作業者は、押さえ部材２４のコネクタ保持部２４３にプラグコネクタ２６を上から差し込むことにより、コネクタ保持部２４３にプラグコネクタ２６を保持させる。また、作業者は、プラグコネクタ２６とＬＥＤモジュール２０を電気的に接続する２本の電線を、押さえ部材２４の凹所２４１内に収める。
【００３８】
続いて、作業者は、取付部材２３の一対の引掛部２３２を、放熱部材２１の被引掛部２１３（の切欠２１３０）に上から挿通した後、取付部材２３を上から見て時計回りの向きに回転させる。すると、引掛部２３２の引掛片２３２１と枠部２３０（の周壁部２３０１）との間の隙間に、被引掛部２１３（の被引掛部位２１３１）が挿入されるので、引掛部２３２が被引掛部２１３に引っ掛けられる（図１及び図３Ａ参照）。そして、図４に示すように、枠部２３０の主部２３００がレンズブロック２２の外鍔部２２１の上面に被さるため、取付部材２３と放熱部材２１との間で、押さえ部材２４及びレンズブロック２２が挟み込まれて保持される。
【００３９】
最後に、作業者は、取付部材２３の固定部２３３のねじ挿通孔２３３０に上から挿通したねじを、放熱部材２１の連結部２１２に設けられている第２ねじ孔２１２１にねじ込む。その結果、取付部材２３は、上から見て反時計回りの向きに回転不能となり、放熱部材２１から脱落しなくなる。ただし、取付部材２３の固定部２３３と、放熱部材２１の連結部２１２との固定はねじ止めに限定されない。例えば、固定部２３３に設けられる突起が連結部２１２に設けられる孔に挿通され、かつ、熱かしめされることで固定部２３３と連結部２１２が固定されてもよい。以上のようにして、本実施形態に係る光源ユニット２の組立が完了する（図１参照）。
【００４０】
次に、本実施形態に係る照明器具Ｘの組立手順を説明する。ただし、一対の支持具６は、既に器具本体１に取り付けられている。
【００４１】
まず、組立作業を行う作業者は、器具本体１内に点灯ユニット４を収容し、器具本体１の底板１１の固定片１１０に点灯ユニット４の筐体４１をねじ止めして固定する（図５参照）。それから、作業者は、既に組立作業が完了している光源ユニット２を点灯ユニット４の筐体４１に取り付ける。ここで、筐体４１の下面には、放熱部材２１の２つの丸孔２１１０にそれぞれ個別に挿通される２つの突起４１１が下向きに突設されている。つまり、作業者は、放熱部材２１の固定部２１１に設けられている２つの丸孔２１１０に２つの突起４１１を個別に挿通させるようにして、固定部２１１を筐体４１の下面に載せる。ただし、作業者は、器具本体１の被固定部１２が放熱部材２１の下になるように、被固定部１２と筐体４１の下面との間に固定部２１１を挿入する（図７参照）。それから、作業者は、被固定部１２のねじ挿通孔１２０に挿通したねじを、放熱部材２１の固定部２１１に設けられている第１ねじ孔２１１１にねじ込むことにより、光源ユニット２を点灯ユニット４の筐体４１に取り付ける（図７参照）。このとき、光源ユニット２のプラグコネクタ２６は、筐体４１の中央の開口部４１０Ｂの奥に配置されているレセプタクルコネクタ４０８と電気的かつ機械的に接続される。
【００４２】
続いて、作業者は、器具本体１内に電池ユニット３を収容する。電池ユニット３のコネクタ部３２は、電池ユニット３が器具本体１内に収容される際に、点灯ユニット４の筐体４１に設けられている開口部４１０Ａを通して、点灯ユニット４の受け側のコネクタと電気的かつ機械的に接続される。ここで、筐体４１の右側面の後端寄りの部位には、凹部が設けられている。そして、電池ユニット３の抜け止め部３３の突起３３１が筐体４１の凹部に引っ掛かることにより、電池ユニット３が点灯ユニット４の筐体４１に取り付けられる。なお、作業者は、抜け止め部３３のばね片３３０を指で摘まんで撓ませ、突起３３１と凹部の引っ掛かりを解除することにより、器具本体１から電池ユニット３を引き抜いて取り外すことができる。
【００４３】
最後に、作業者は、一対の取付ばね７を器具本体１の内周面の前側及び後側にそれぞれ一対ずつ設けられる挿通溝１３に挿通することにより、器具本体１の下面を閉塞するようにカバー５を器具本体１に保持させる（図６Ｃ及び図７参照）。以上のようにして、本実施形態に係る照明器具Ｘの組立が完了する。
【００４４】
上述のように本実施形態に係る光源ユニット２は、光源モジュール（ＬＥＤモジュール２０）と、ＬＥＤモジュール２０と熱的に結合される放熱部材２１とを備える。また、本実施形態に係る光源ユニット２は、ＬＥＤモジュール２０から放射される光の配光を制御する配光制御部材（レンズブロック２２）と、レンズブロック２２を放熱部材２１に取り付ける取付部材２３とを備える。レンズブロック２２は、ＬＥＤモジュール２０と対向するレンズ部２２０と、レンズ部２２０の周囲に設けられる板状の外鍔部２２１とを有する。取付部材２３は、レンズ部２２０が挿通される窓孔２３１を有する枠部２３０と、枠部２３０から突出する１つ又は複数の引掛部２３２とを備える。放熱部材２１は、引掛部２３２が着脱可能に引っ掛けられる被引掛部２１３を有する。被引掛部２１３は、引掛部２３２を放熱部材２１の厚み方向に通過させ、かつ、引掛部２３２を厚み方向と交差する方向に移動可能に構成される。取付部材２３は、引掛部２３２を被引掛部２１３に引っ掛けた状態で放熱部材２１と枠部２３０との間で外鍔部２２１を挟んで支持するように構成される。
【００４５】
本実施形態に係る光源ユニット２は上述のように構成され、レンズブロック２２には放熱部材２１に支持される特別な構造が不要であるので、従来例と比較して、製造コストの削減及び製造作業の作業時間の短縮を図ることができる。
【００４６】
また、本実施形態に係る光源ユニット２において、放熱部材２１との間でＬＥＤモジュール２０を挟んで支持する押さえ部材２４をさらに備えることが好ましい。取付部材２３は、引掛部２３２を被引掛部２１３に引っ掛けた状態で放熱部材２１と枠部２３０との間で外鍔部２２１及び押さえ部材２４を挟んで支持するように構成されることが好ましい。
【００４７】
本実施形態に係る光源ユニット２が上述のように構成されれば、押さえ部材２４を介してレンズブロック２２とＬＥＤモジュール２０との位置決めを行うことができる。
【００４８】
さらに、本実施形態に係る光源ユニット２において、取付部材２３は、引掛部２３２を被引掛部２１３に引っ掛けた状態で放熱部材２１に固定される固定部２３３を備えることが好ましい。
【００４９】
本実施形態に係る光源ユニット２が上述のように構成されれば、取付部材２３が不用意に動いて引掛部２３２と被引掛部２１３との引っ掛かりが外れることを防止できる。
【００５０】
また、本実施形態に係る光源ユニット２において、被引掛部２１３は、放熱部材２１の周縁部分に形成される切欠２１３０を有することが好ましい。引掛部２３２は、枠部２３０から突出する突片２３２０と、突片２３２０から枠部２３０と並行して突出する引掛片２３２１とを有することが好ましい。引掛部２３２は、引掛片２３２１と枠部２３０との間の隙間に、被引掛部２１３（被引掛部位２１３１）が挿入されるように構成されることが好ましい。
【００５１】
本実施形態に係る光源ユニット２が上述のように構成されれば、放熱部材２１に対して取付部材２３を回転させることにより、引掛部２３２を被引掛部２１３に引っ掛けることができる。
【００５２】
本実施形態に係る照明器具Ｘは、光源ユニット２と、光源ユニット２を収容する器具本体１を備える。
【００５３】
本実施形態に係る照明器具Ｘは上述のように構成され、レンズブロック２２には放熱部材２１に支持される特別な構造が不要であるので、従来例と比較して、製造コストの削減及び製造作業の作業時間の短縮を図ることができる。
【００５４】
ところで、本実施形態に係る照明器具Ｘは埋込型の照明器具に限定されず、天井に直付けされる直付け型の照明器具であっても構わない。
【００５５】
直付け型の照明器具ＸＸは、図９及び図１０に示すように、円盤状の器具本体１と、円錐台形状のカバー５とを有する。器具本体１は、天井にねじ止めされて直付けされる。点灯ユニット４は、固定金具１４によって器具本体１に固定される。固定金具１４は、帯状の金属板の長手方向の両端部分が互いに異なる向きに曲げ起こされるように構成される。そして、固定金具１４は、一方の端部１４０で器具本体１にねじ止めされ、他方の端部１４１が光源ユニット２の放熱部材２１（の固定部２１１）とともに点灯ユニット４の筐体４１にねじ止めされる。このようにして点灯ユニット４は固定金具１４によって器具本体１に固定される（図１０参照）。また、器具本体１には、２つの取付ばね７が取り付けられる（図１０参照）。一方、カバー５の内周面には、２つの取付ばね７がそれぞれ個別に挿入される挿通溝が設けられている。つまり、カバー５は、これら２つの取付ばね７が挿通溝に挿通されることで器具本体１に着脱可能に取り付けられる（図９参照）。
【符号の説明】
【００５６】
Ｘ  照明器具
１  器具本体
２  光源ユニット
２０  ＬＥＤモジュール（光源モジュール）
２１  放熱部材
２２  レンズブロック（配光制御部材）
２３  取付部材
２４  押さえ部材
２１３  被引掛部
２２０  レンズ部
２２１  外鍔部
２３０  枠部
２３２  引掛部
２３３  固定部
２１３０  切欠（被引掛部）
２１３１  被引掛部位（被引掛部）
２３２０  突片
２３２１  引掛片
【図１】
0006695052.tif 000002
【図２】
0006695052.tif 000003
【図３】
0006695052.tif 000004
【図４】
0006695052.tif 000005
【図５】
0006695052.tif 000006
【図６】
0006695052.tif 000007
【図７】
0006695052.tif 000008
【図８】
0006695052.tif 000009
【図９】
0006695052.tif 000010
【図１０】
0006695052.tif 000011